(57)【要約】【課題】有色での印字に比べて、透明での印字の視認性が落ちてしまう問題を解決できるようにした印刷装置を提供すること。【解決手段】印刷物に日付やファイル番号などの付加情報を透明で印字を行う場合は、有色で印刷を行う場合よりも文字のサイズを大きくすることによって、文字の視認性を向上させる。【選択図】図７
2016155334.tif 000002
【特許請求の範囲】
【請求項１】
外部記憶装置に格納された画像データを読み込む画像読み込み手段と、読み込んだ画像を選択する手段と、読み込んだ画像やその他のメッセージを表示する手段と、画像に情報を付加して印字を行うかどうかを設定出来る手段と、付加情報を指定された印字色で印字することが出来る手段と、付加情報の印字サイズを有色と透明とに変更する手段と、付加情報の印字が行われるかどうかをアイコンによって表示する手段と、表示されているアイコンの設定に応じて付加情報の印刷有無を判断する手段と、を有することを特徴とする印刷装置。
【請求項２】
画像に付加する情報とは、画像を撮影した日付情報、画像のファイル番号であることを特徴とする請求項１に記載の印刷装置。
【発明の詳細な説明】
【技術分野】
【０００１】
本発明は、画像に日付、ファイル番号などの付加情報を印刷する際に、有色では無く透明で印刷する場合は印字する文字を有色時よりも大きくすることによって、日付、ファイル番号に視認性の向上させる方法に関する。
【背景技術】
【０００２】
近年、デジタルカメラや携帯電話、スマートフォンなどの普及にともない、ユーザーは手軽に画像を撮影することが増えてきている。撮影した画像を印刷する際には、画像を撮影した日付情報やファイル番号を画像に付加して印刷することもユーザー自身が選択することが出来る。しかし、画像に日付、ファイル番号を付加すると、印字が目立ってしまいうため、日付、ファイル番号自体は印字したいが、目立たないようにして印刷したいというニーズも高まっている。
【０００３】
そこで、日付、ファイル番号などの情報を有色では無く、透明で印字を行うことにより、印字の情報を目立たなくするように工夫を行っている。しかし、透明で印字を行う際に、有色時の印字文字サイズと同じ大きさにしてしまうと、文字の視認性が落ちてしまうといった問題が生じる。
【０００４】
このような、印字文字の視認性向上に対して従来技術では、特許文献１において、色のインクの上から透明インクを印字することによって、文字の視認性を向上させるといった手法を取っている。
【先行技術文献】
【特許文献】
【０００５】
【特許文献１】特開２００１−２３２９２８号公報
【発明の概要】
【発明が解決しようとする課題】
【０００６】
しかし、特許文献１の手法は、有色の印字文字に対する視認性向上であり、透明での印字に関するものではない。
【０００７】
本発明の目的は、有色での印字に比べて、透明での印字の視認性が落ちてしまう問題を解決できるようにした印刷装置を提供することにある。
【課題を解決するための手段】
【０００８】
上記の目的を達成するために、請求項１の印刷装置は、
外部記憶装置に格納された画像データを読み込む画像読み込み手段と、読み込んだ画像を選択する手段と、読み込んだ画像やその他のメッセージを表示する手段と、画像に情報を付加して印字を行うかどうかを設定出来る手段と、付加情報を指定された印字色で印字することが出来る手段と、付加情報の印字サイズを有色と透明とに変更する手段と、付加情報の印字が行われるかどうかをアイコンによって表示する手段と、表示されているアイコンの設定に応じて付加情報の印刷有無を判断する手段と、を有することを特徴とする。
【０００９】
請求項２の印刷装置は、前記画像に付加する情報とは、画像を撮影した日付情報、画像のファイル番号であることを特徴とする。
【発明の効果】
【００１０】
本発明の印刷装置によれば、写真に付加情報（日付、ファイル番号）を印刷する際に、印字が透明の場合には有色時の印字サイズよりも大きく印字することによって、印刷された付加情報の視認性を向上させることが出来る。
【図面の簡単な説明】
【００１１】
【図１】実施例の印刷装置の構成を示すブロック図である。
【図２】プリンタの日付の印字設定が透明、ファイル情報の印字設定が有色になっていることを表した図である。
【図３】プリンタの日付の印字設定が透明、ファイル情報の印字設定が有色になっており、その設定状態が印刷プレビュー画面のアイコンで示されていることを表した図である。
【図４】プリンタの日付、ファイル番号の印字設定が透明になっていることを表した図である。
【図５】プリンタの日付、ファイル番号の印字設定が透明になっており、その設定状態が印刷プレビュー画面のアイコンで示されていることを表した図である。
【図６】プリンタの日付、ファイル番号の印字設定が透明になっているが、他の印刷設定の関係上、日付、ファイル番号共に印字されないことが印刷プレビュー画面のアイコンで示されていることを表した図である。
【図７】日付を有色で印字した時と、透明で印字した時の印刷結果を表す図である。
【図８】実施例の処理フローを示した図である。
【発明を実施するための形態】
【００１２】
以下、本発明を実施するための形態を図面に基づいて説明する。
【００１３】
図１に、本発明を適用可能な印刷装置１００の構成の一例を示す。表示制御装置１００は、コンパクトプリンタなどを用いて構成可能なものである。
【００１４】
図１において、内部バス１５０に対してＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、通信Ｉ／Ｆ１１０が接続されている。内部バス１５０に接続される各部は、内部バス１５０を介して互いにデータのやりとりを行うことができるようにされている。
【００１５】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、表示制御装置１００の各部を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１６】
画像処理部１０４は、ＣＰＵ１０１の制御に基づいて、不揮発性メモリ１０３や記録媒体１０８に格納された画像データや、外部Ｉ／Ｆ１０９や通信Ｉ／Ｆ１１０を介して取得した画像データなどに対して各種画像処理を施す。画像処理部１０４が行う画像処理には、画像データの符号化処理、デコード処理、拡大／縮小処理（リサイズ）、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００１７】
ディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、ディスプレイ１０５に表示するための映像信号を生成してディスプレイ１０５に出力するように表示制御装置１００の各部を制御する。ディスプレイ１０５は出力された画像信号に基づいて画像を表示する。
【００１８】
操作部１０６は、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。なお、タッチパネルは、ディスプレイ１０５に重ね合わせて平面的に構成され、接触された位置に応じた座標情報が出力されるようにした入力デバイスである。
【００１９】
記憶媒体Ｉ／Ｆ１０７は、メモリーカードなどの記録媒体１０８が装着可能とされ、ＣＰＵ１０１の制御に基づき、装着された記録媒体１０８からのデータの読み出しや、当該記録媒体１０８に対するデータの書き込みを行う。外部Ｉ／Ｆ１０９は、外部機器と有線ケーブルや無線によって接続し、映像信号や音声信号の入出力を行うためのインターフェースである。通信Ｉ／Ｆ１１０は、外部機器と通信して、ファイルやコマンドなどの各種データの送受信を行うためのインターフェースである。
【００２０】
以下、図２〜１０図を参照して、本発明の各実施例を説明する。
【００２１】
＜実施例１＞
実施例１では、プリンタなどの印刷装置を用いて日付情報を透明で印字し、ファイル番号を有色で印字する際の例を述べる。なお本実施例の透明な印字とは、透明な印字面に凹凸をつけることによって、透明ではあるが文字を視認出来るようにした印刷とする。
【００２２】
図２はディスプレイ１０５に表示される印刷設定画面の一例を示したものである。本実施例では日付、ファイル番号の印字設定としてＯＮ（オレンジ／黒）、ＯＮ（透明）、ＯＦＦの３種類を同一項目で設定出来るものとする。図２は印刷装置で設定できる印刷設定画面がディスプレイ１０５に表示されている様子を表している。日付とファイル番号の印字設定は独立しており、ユーザーはそれぞれ個別に設定することが出来る。図２では日付の印字設定が透明に、ファイルの印字設定がオレンジ／黒に設定されている状態を表している。
【００２３】
図３では、図２の設定画面で行った設定が、印刷プレビュー画面３００に日付アイコン（透明）Ｓ３０１とファイル番号アイコン（オレンジ／黒）３０２として反映されていることを表している。ユーザーはディスプレイ１０５に表示されているアイコン３０１とアイコン３０２の表示を確認することによって、日付、ファイル番号の印字設定を確認することが出来る。
【００２４】
図７では、日付、ファイル番号の印字設定を共にオレンジ／黒に設定して、印刷を行った時の印刷結果７００と、日付の印字設定を透明に、ファイル番号の印字設定をオレンジ／黒に設定して印刷を行った時の印刷結果７０３とを表した図である。印刷結果７０３に透明で印字されている日付７０５は、印刷結果７００の日付を有色で印字した文字に比べて大きく印字されている。このように透明印字を有色印字時よりも文字を大きくすることによって、有色、透明ごとに文字サイズを最適化している。
【００２５】
図８は実施例１のフローチャートを示したものである。このフローチャートおける各処理は、ＣＰＵ１０１がメモリ１０２に格納されたプログラムを不揮発性メモリ１０３に展開して実行することにより実現される。
【００２６】
ユーザーは印刷装置の印刷設定画面において日付、ファイル番号の印字設定を変更することが出来る。
【００２７】
Ｓ８００では、ユーザーが日付の印字設定の変更を行ったどうかを判定する。ユーザーが日付の印字設定を行った場合はＳ８０１へ進み、日付の印字設定を行わなかった場合は、Ｓ８０５に進む。Ｓ８０１ではユーザーが印字設定をＯＮ（オレンジ／黒）、ＯＮ（透明）、ＯＦＦのどの設定に変更したかどうかを判定する。ＯＮ（オレンジ／黒）に設定した場合はＳ８０２に進み、ＯＮ（透明）に設定した場合はＳ８０３に進み、ＯＦＦの場合はＳ８０４に進む。Ｓ８０２では、印刷装置の日付の印字設定をＯＮ（オレンジ／黒）にする。Ｓ８０３では、印刷装置の日付の印字設定をＯＮ（透明）にする。Ｓ８０４では、印刷装置の日付の印字設定をＯＦＦにし、印刷物に日付を印刷を行わない。
【００２８】
Ｓ８０５では、ユーザーがファイル番号の印字設定の変更を行ったどうかを判定する。ユーザーがファイル番号の印字設定を行った場合はＳ８０６へ進み、ファイル番号の印字設定を行わなかった場合は、Ｓ８１０に進む。Ｓ８０６ではユーザーが印字設定をＯＮ（オレンジ／黒）、ＯＮ（透明）、ＯＦＦのどの設定に変更したかどうかを判定する。ＯＮ（オレンジ／黒）に設定した場合はＳ８０７に進み、ＯＮ（透明）に設定した場合はＳ８０８に進み、ＯＦＦの場合はＳ８０９に進む。Ｓ８０７では、印刷装置のファイル番号の印字設定をＯＮ（オレンジ／黒）にする。Ｓ８０８では、印刷装置のファイル番号の印字設定をＯＮ（透明）にする。Ｓ８０９では、印刷装置のファイル番号の印字設定をＯＦＦにし、印刷物にファイル番号を印刷を行わない。
【００２９】
Ｓ８１０では、印刷設定画面２００から印刷プレビュー画面３００へ画面遷移したかどうかを判定する。印刷プレビュー画面に画面遷移していた場合はＳ８１１へ進み、印刷プレビュー画面に画面遷移していなかった場合はＳ８００に進む。Ｓ８１１では日付、ファイル番号のいづれかが印字が有効になっているかどうかを判定する。有効になっている場合は、Ｓ８１２に進み、無効になっている場合はＳ８１４に進む。
【００３０】
Ｓ８１２では、日付、ファイル番号が印字設定になっているが、そもそもそれらの印字が行える印刷設定になっているかどうかを判断する。例えば、証明写真を印刷するモードに成っている場合などは、日付、ファイル番号の印字設定がＯＮになっていたとしても印字は行わない。Ｓ８１３では、Ｓ８１２の判断結果として、日付ファイル番号が印字出来ない場合は、日付、ファイル番号のアイコンをグレ―アウトにして印刷プレビュー画面３００に表示する。
【００３１】
Ｓ８１４では、ユーザーが印刷を開始しいたかどうかを判定する。印刷を開始していた場合はＳ８１５に遷移し、印刷を開始していなかった場合にはＳ８１０に進む。
【００３２】
Ｓ８１５では、印刷設定画面２００の設定ではなく、印刷プレビュー画面に表示されている日付アイコン３０２、ファイル番号アイコン３０１の表示に従って印刷を行う。よって、印刷設定画面２００の設定値値が印字設定ＯＮになって居たとしても、印刷装置の設定が証明写真などの日付、ファイル番号の印字が無効になるような設定になって居る場合には、印刷プレビュー画面３００のアイコンがグレーアウトで表示され、実際の印刷物には日付、ファイル番号が印字されない。
【００３３】
以上のように、実施例１によればユーザーは画像に日付を透明、ファイル番号を有色（オレンジ／黒）で印字することが出来る。なお図２では日付を透明印字に、ファイル番号を有色（オレンジ／黒）としているが、図４が示すようにファイル番号も透明印字設定としても良い。このようにすることで、画像に印字する付加情報である日付、ファイル番号が全て透明で印字し、印刷物における付加情報の目立ちを抑えることが出来る。
【００３４】
＜実施例２＞
実施例２では、印刷装置の日付情報、ファイル番号の印字設定を透明印字設定にしているが、印刷装置の設定が証明写真などの日付、ファイル番号を印字することが出来ない状態になっているケースについて説明する。なお本実施例の透明な印字とは、透明な印字面に凹凸をつけることによって、透明ではあるが文字を視認出来るようにした印刷とする。
【００３５】
図８は実施例２のフローチャートを示したものである。このフローチャートおける各処理は、ＣＰＵ１０１がメモリ１０２に格納されたプログラムを不揮発性メモリ１０３に展開して実行することにより実現される。
【００３６】
なお、図８のステップＳ８１２、Ｓ８１３以外の処理については、実施例１での処理と同様であるため、説明を省略する。
【００３７】
図８のステップＳ８１２では、印刷装置の設定が証明写真印刷用の設定になっているため、日付、ファイル番号の印字が行えないと判定される。そのためＳ８１３の処理において、６００の印刷プレビュー画面の用に日付アイコン６０２とファイル番号アイコン６０１がグレ―アウトされた状態で表示される。この状態で印刷を行うと、印刷物には日付、ファイル番号は印字されない。
【００３８】
以上のように、実施例２によればユーザーは画像に日付を透明、ファイル番号を有色（オレンジ／黒）で印字するように設定を行っているにも関わらず、実際には印刷物に日付、ファイル番号が印字されない設定になっていたとしても、ユーザーは印刷プレビュー画面６００に表示されている日付アイコン６０２とファイル番号アイコン６０１によってそのことを確認することが出来る。なお図２では日付、ファイル番号を共に透明印字にとしているが、透明印字ではなく有色（オレンジ／黒）としても構わない。
【００３９】
＜他の実施形態＞
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００４０】
以上説明したように、本発明によれば、印刷装置を用いて印刷物に日付、ファイル番号を付加して印刷を行う際に、透明での印字と有色（オレンジ／黒）それぞれ適切な文字サイズで印字することが可能になる。また、印刷プレビュー画面のアイコンを確認することによって、ユーザーは現在の設定状態を確認することが出来る。さらに、日付、ファイル番号ごとに設定を変えることも出来る。
【００４１】
なお、上述した実施の形態の処理は、各機能を具現化したソフトウェアのプログラムコードを記録した記憶媒体をシステム或いは装置に提供してもよい。そして、そのシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４２】
１００  印刷装置の構成を示すブロック図、１０１  ＣＰＵ、１０２  メモリ、
１０３  不輝発生メモリ、１０４  画像処理部、１０５  ディスプレイ、
１０６  操作部、１０７  記憶媒体Ｉ／Ｆ、１０８  記憶媒体、
１０９  外部Ｉ／Ｆ、１１０  通信Ｉ／Ｆ、１１１  印刷部、
１５０  内部バス
【図１】
2016155334.tif 000003
【図２】
2016155334.tif 000004
【図３】
2016155334.tif 000005
【図４】
2016155334.tif 000006
【図５】
2016155334.tif 000007
【図６】
2016155334.tif 000008
【図７】
2016155334.tif 000009
【図８】
2016155334.tif 000010